(57)【要約】【目的】  液晶パネル等の表示パネルの裏側に明るい開口などがあっても、それらを表示部位全面において外部から見えないようにすることが可能で、表示パネルの興趣深い画像演出を妨げることがない遊技機を提供する。【構成】  光シャッタ１２０を、液晶パネル１００の背面側でリール２６Ｌ、２６Ｃ、２６Ｒとの間に配置する。光シャッタ１２０は、印加電圧のオン、オフで光の拡散、透過状態が変化する。光シャッタ１２０にはインバータ回路１３０を介して商用電源１４０からの交流波形を矩形波に変換して印加する。液晶パネル１００には、アンチグレア層を設けた側の全面にフィルム材１５０を貼付して液晶パネル１００表面の凹部を埋め、アンチグレア処理によって液晶パネル１００の透過性が落ちている状態を修正し、透明度を高める。【選択図】        図２
2005224455.tif 000002
【特許請求の範囲】
【請求項１】
遊技に必要な複数種類の識別情報画像を可変表示する可変表示装置と、その前面側に位置して画像演出が可能な表示面を有する表示パネルとを備えた遊技機であって、
前記可変表示装置と前記表示パネルとの間に、前記表示パネルの少なくも前記表示面に対応する部位全面を覆えるとともに印加電圧のオン、オフで光の散乱、透過状態が変化する光シャッタを配してなることを特徴とする遊技機。
【請求項２】
請求項１の遊技機において、前記光シャッタへの印加電圧を矩形波とする波形変換手段を有することを特徴とする遊技機。
【請求項３】
請求項２の遊技機において、前記波形変換手段が前記矩形波のデューティ比を可変とするものであることを特徴とする遊技機。
【請求項４】
請求項１ないし３のいずれかの遊技機において、前記表示パネルのすくなくとも一面に透明フィルム材を貼着してなることを特徴とする遊技機。
【請求項５】
請求項４の遊技機において、前記表示パネルが液晶表示パネルであり、前記透明フィルム材を該液晶表示パネルの表面凹部を有する側の面に貼着してなることを特徴とする遊技機。
【請求項６】
請求項４の遊技機において、前記表示パネルが液晶表示パネルであり、前記透明フィルム材を該液晶表示パネルの両面に貼着してなることを特徴とする遊技機。
【発明の詳細な説明】
【技術分野】
【０００１】
本発明はパチンコ、パチスロ等の遊技機に関する。
【背景技術】
【０００２】
近年、パチンコ、パチスロ等の遊技機については、様々なものが開発、発売されており、これらにおいては盤面に設けた画像表示装置が遊技内容、遊技状況の変化に応じてその表示内容が可変するものが多くなっている。
【０００３】
そのような遊技機においては、液晶ディスプレイなどの表示パネルを用い、大当たり予告などの遊技状況の報知や、大当たり遊技の演出などの趣向を凝らした演出が行われている。特にＬＣＤを用いた画像表示装置は、表示能力が高く様々な画像演出が可能となっている。表示パネルには、光を透過する透過部と、画像演出を行う表示部とを形成し、表示部は、透過部の奥側に設けた回転リールなどを囲むように配置し、回転リールの挙動に応じて画像制御され得るように構成している。
【０００４】
そこで、遊技に必要な複数種類の識別情報画像を可変表示できる可変表示装置の前面に液晶パネル等の薄型平面表示パネルを配し、可変表示装置の挙動に応じた画像制御が可能となるように構成されている遊技機が提案されている。すなわち、遊技に必要な複数種類の識別情報画像を可変表示する可変表示装置と、画像演出が可能な表示面を有する表示パネルとを備えた遊技機であって、前記表示パネルの奥側に、一部に光を透過する開口からなる透過部と、その周囲の不透過部とからなり、透過部が可変表示装置を前方から見えるように配し、可変表示装置の挙動に応じて表示パネルの画像を制御し得るように構成した遊技機が提案されている。
【０００５】
図１は、上述のような遊技機の一例であるスロット遊技機１０の概略を示す図である。図中１２はスロット遊技機１０の筐体、１４は表示部である。表示部１４は、液晶パネル１００と枠体１１０とからなり、図示の状態では液晶パネル１００を透明化して何も表示していない状態としてある。枠体１１０は、開口窓部１６と枠部１８とからなり、枠部１８が開口窓部１６を囲んでいる。筐体１２内には、３個のリール２６Ｌ、２６Ｃ、２６Ｒが回転自在に設けてあり、それらの外周面には複数種類の識別情報画像（図示を省略）が描いてあり、上述した枠体１１０の開口窓部１６に臨ませてあり、液晶パネル１００を介して外方から視認できるようになっている。図中２８は略水平の台座部、３１はコイン投入口、２０、２２、２４は遊技者が操作するスイッチ、３２はスタートレバー、３４Ｌ、３４Ｃ、３４Ｒはリール停止ボタン、３６は払出しボタン、３８はコイン払出口、４０は払い出されたコインを溜めるコイン受け部、４２はスピーカの透音口、４４は電飾ランプ、５０は前側筐体である。
【０００６】
図２は、図１の遊技機の表示部１４等の配置を示す概念的断面図である。最前面に液晶パネル１００を配し、その裏側に、視線方向で表示部１４の表示内容が明るくなるようにするためのシート状のレンズ体１０１を配し、またその裏側に枠体１１０等を配してある。枠体１１０の表面は白色等の反射、拡散性状に優れるものとしてあり、図３に示すように、３個のリール２６Ｌ、２６Ｃ、２６Ｒに対応させて３個の開口窓部１６を備えており、導光板として作用する。
【０００７】
【特許文献１】特開２００４−８７０５号公報
【発明の開示】
【発明が解決しようとする課題】
【０００８】
上述した技術によれば、表示パネルと変表示装置とが一体化されて奥行きのある演出が可能となるとされているが、表示部１４の開口窓部１６に対応する部位では、液晶パネル１００の表示内容が見にくくなるという問題がある。すなわち、リール２６Ｌ、２６Ｃ、２６Ｒの表面に描いてある図柄、絵柄等を見やすくするためには、開口窓部１６の部位でリール２６Ｌ、２６Ｃ、２６Ｒが明るくなるように照明系を設定しなければならないが、そうすると液晶パネル１００の表示内容が見えるとしても、表示内容を構成する画像の明暗によって見え方がかなり違ってしまうと言う問題がある。特に、開口窓部１６に掛かると液晶パネル１００の表示画像は千切れたように見えなくなることがある。
【０００９】
本発明は上記問題点を解決し、表示パネルの画像表示が見える、または見えない、という状態を表示部位全面において切り替え可能な遊技機を提供することを目的とする。
【課題を解決するための手段】
【００１０】
本発明の請求項１に係る遊技機は、上記目的を達成するために、遊技に必要な複数種類の識別情報画像を可変表示する可変表示装置と、その前面側に位置して画像演出が可能な表示面を有する表示パネルとを備えた遊技機であって、前記可変表示装置と前記表示パネルとの間に、前記表示パネルの少なくも前記表示面に対応する部位全面を覆えるとともに印加電圧のオン、オフで光の拡散、透過状態が変化する光シャッタを配してなることを特徴とする。
【００１１】
同請求項２に係るものは、請求項１の遊技機において、前記光シャッタへの印加電圧を矩形波とする波形変換手段を有することを特徴とする。
【００１２】
同請求項３に係るものは、請求項２の遊技機において、前記波形変換手段が前記矩形波のデューティ比を可変とするものであることを特徴とする。
【００１３】
同請求項４に係るものは、請求項１ないし３のいずれかの遊技機において、前記表示パネルのすくなくとも一面に透明フィルム材を貼着してなることを特徴とする。
【００１４】
同請求項５に係るものは、請求項４の遊技機において、前記表示パネルが液晶表示パネルであり、前記透明フィルム材を該液晶表示パネルの表面凹部を有する側の面に貼着してなることを特徴とする。
【００１５】
同請求項６に係るものは、請求項４の遊技機において、前記表示パネルが液晶表示パネルであり、前記透明フィルム材を該液晶表示パネルの両面に貼着してなることを特徴とする。
【発明の効果】
【００１６】
本発明に係る遊技機は、液晶パネル等の表示パネルの裏側に明るい開口などがあっても、それらを表示部位全面において外部から見えないようにすることが可能で、表示パネルの興趣深い画像演出を妨げることがないという効果がある。
【発明を実施するための最良の形態】
【００１７】
以下本発明を実施するための最良の形態を、図に示す実施例を参照して説明する。
【実施例】
【００１８】
図４は、本発明に係る遊技機の一実施例の要部を示す概念的断面図である。本実施例では、図１に示した従来の例の枠体１１０に代えて光シャッタ１２０を用い、液晶パネル１００の背面側、すなわちリール２６Ｌ、２６Ｃ、２６Ｒとの間に配置してある。
【００１９】
光シャッタ１２０は、印加電圧のオン、オフで光の拡散、透過状態が変化するものであって、例えば特開平６−４３４７８号公報等に示されるようなものである。このような光シャッタは、例えば光が不透過になる光拡散状態と光透過状態とを呈し得る液晶セル（例えば、ポリマー分散型液晶セル等）を用い、これを少なくとも光透過状態を呈し得る画像表示用の液晶セル（例えば、ＴＮ液晶セル、ＧＨ液晶セル等：本例では液晶パネル１００）とを重ね合わせ、視点側に画像表示用の液晶セルを配する構成とする。なお、本明細書で言う光の透過状態とは背景を視認できるように光が透過する透明あるいは半透明の状態を言う。なお、基板、駆動電極、また必要に応じて偏光板、カラーフィルタ、位相差フィルム、セルを保護する保護膜（あるいは、保護板）、その他のセル構成材の配置は任意である。
【００２０】
図示のように、光シャッタ１２０にはインバータ回路１３０を介して商用電源（または商用電源の電源アダプタ）１４０からの交流波形を矩形波に変換して印加する。本願発明者等の研究によれば、サインカーブ等のような波形の電圧を印加するよりも、矩形波として印可すると数％ではあるが透過状態におけるリール２６Ｌ、２６Ｃ、２６Ｒ等の背後の物体、風景等の視認性が向上し、図柄等であればその縁がくっきりと見えたり、図柄がくすんでしまう程度が小さくなり、図柄がつやつやしく見えるようになる。
【００２１】
そして、リール２６Ｌ、２６Ｃ、２６Ｒ等の背後の物体のサイズが従来の例では窓開口のサイズに限定されるが、本発明ではそのような制限が無くなり、液晶パネル１００の表示域全体に背後の物体が存在していても問題が無くなる。
【００２２】
なお、光シャッタ１２０をリール２６Ｌ、２６Ｃ、２６Ｒ等の配置形態に対応させて何分割化し、個別的にオン、オフ駆動できるようにしても良い。そのようにすると、液晶パネル１１０による画像表示をはっきりと見せることが必要で、背後の物体などを隠したいときには該当箇所の光シャッタをオンとし、そうでないときにはオフとするという制御を行えることにより、いっそう興趣のある画像表示と演出を行えるようになる。
【００２３】
またなお、インバータ回路１３０により形成する矩形波のデューティ比は、例えば５０％でもよいが、その他の値でも良く、また装置の駆動状況に応じてを可変としてもよい。そのようなインバータ回路と制御回路に付いては公知の装置を用いれば良い。またインバータ回路に代えて他の回路、手段を用いても良いことはもちろんである。
【００２４】
また液晶パネル１００には、アンチグレア層を設けた側（図では最前面）の全面にフィルム材１５０を貼付してある。フィルム材１５０は、一面が平滑化された薄く透明な合成樹脂からなるものである。例えば、厚さ約５０μのアクリル樹脂、PET（POLYETHYLENE TEREPHTHALATE）樹脂等で構成したものである。なおフィルム材１５０の透明度は、高いほど、またその観者側表面は高い平滑度を有することが望ましい。
【００２５】
そしてフィルム材１５０またはその裏面の粘着材は、液晶パネル１００表面の凹部内を埋めてアンチグレア層を構成する材料の凹凸に隙間無く入り込んでアンチグレア処理によって液晶パネル１００の透過性が落ちている状態を修正し、透明度を高める。
【００２６】
すなわち、最表面に位置するフィルム材１５０への入射光がアンチグレア層と粘着材との境界で乱反射されることなく高効率で透過し、内部のリール２６Ｌ，２６Ｃ，２６Ｒの表示が明確に表示されることとなる。なおフィルム材１５０の粘着材の屈折率を液晶パネル１００のアンチグレア層の屈折率と略等しいものとすることが好ましい。
【００２７】
なお図示の例では、フィルム材１５０は液晶パネル１００の最外表面、即ち前面のみに貼付しているが、本発明はこれに限定されず、液晶パネル１００の背面だけでもよく、あるいは前面と背面の両方に設けても、いずれでもよい。またフィルム材１５０は液晶パネル１００の全領域にわたって貼付する必要はなく、所望の部位に対して部分的に貼付するようにしても良い。
【図面の簡単な説明】
【００２８】
【図１】遊技機の一例であるスロット遊技機の概略を示す斜視図
【図２】図１の遊技機の表示部等の配置を示す概念的断面図
【図３】図２に示す導光板の形状を示す正面図
【図４】本発明に係る遊技機の一実施例を示す断面図
【符号の説明】
【００２９】
１０：スロット遊技機
１２：スロット遊技機の筐体
１４：表示部
２６Ｌ、２６Ｃ、２６Ｒ：リール
１００：液晶パネル
１２０：光シャッタ
１３０：インバータ回路
１４０：商用電源
１５０：フィルム材
【図１】
2005224455.tif 000003
【図２】
2005224455.tif 000004
【図３】
2005224455.tif 000005
【図４】
2005224455.tif 000006